(57)【要約】      （修正有）【課題】取り扱いが容易で透析機械周囲を汚染することのない透析機械用カートリッジを提供する。【解決手段】透析機械用のパウダカートリッジであって、外ネジの形成された頸部２１、該頸部に適合され、かつ端壁を備えるネジキャップ２６、該ネジキャップ中の通常は閉止された弁であって、該パウダカートリッジを該透析機械に取り付けることによって開放位置に調節され得る弁４０、該端壁２８および該頸部上の手段であって、該頸部に該ネジキャップを螺着させるとき、該手段が相互に係合し、該頸部からの該ネジキャップの緩みを防ぐ手段、および該端壁と該ネジキャップの一部分との間の破断式の連結部であって、該破断式の連結部２９を破断して該端壁を該ネジキャップから分離した状況でのみ該ネジキャップを緩ませ得る連結部を備える。【選択図】図４
2006181377.tif 000002
【特許請求の範囲】
【請求項１】
透析機械用のパウダカートリッジであって、
外ネジの形成された頸部、
該頸部に適合され、かつ端壁を備えるネジキャップ、
該ネジキャップ中の通常は閉止された弁であって、該パウダカートリッジを該透析機械に取り付けることによって開放位置に調節され得る弁、
該端壁および該頸部上の手段であって、該頸部に該ネジキャップを螺着させるとき、該手段が相互に係合し、該頸部からの該ネジキャップの緩みを防ぐ手段、および
該端壁と該ネジキャップの一部分との間の破断式の連結部であって、該破断式の連結部を破断して該端壁を該ネジキャップから分離した状況でのみ該ネジキャップを緩ませ得る連結部、を備える、パウダカートリッジ。
【発明の詳細な説明】
【技術分野】
【０００１】
本発明は、透析機械用パウダカートリッジに関し、このカートリッジは、ネジキャップおよびこのネジキャップが適用され得る外ネジが形成された頸部を有する。
【０００２】
この型のパウダカートリッジは、ＤＥ−Ａ−４  ２１７  ３５２号（特許文献１）に開示される。
【背景技術】
【０００３】
ヨーロッパ特許公報第Ｂ１−０２７８１００号（特許文献２）に開示された透析システムでは、透析液は使用現場において閉じられた容器、つまりカートリッジ内のパウダ（重炭酸ナトリウム）から準備される。カートリッジは、透析機械のホルダに装着され、水を供給するための入口と、前記パウダの濃厚溶液のための出口に接続される。前記濃厚液は、前記カートリッジに水を通して前記パウダを溶かし込むことにより得られる。透析機械内でこの濃厚液に正確に計量した水を加え所定濃度の透析液を得る。
【０００４】
このシステムで作動する市販されている透析機械、ガンブロＡＫ１００（ＧａｍｂｒｏＡＫ１００）では、カートリッジは透析機械の鉛直壁面に回動自在に取り付けられた２つの支持部材（ｙａｗ）の間に装着される。支持部材の一方が水の入口を有し、他方が、カートリッジを通して水を流通させ水にパウダを溶かし込んで得られた濃厚液のための出口を有している。前記カートリッジの両端に設けられたスタッドに前記入口と出口が接続される。カートリッジを２つの支持部材の間に配置するとき、或いは、カートリッジをこの位置から取り外すときに、上側の支持部材を上方に回動させるが、然しながら、２つの支持部材は、また、透析機械の前記壁面に向かって回動させることができる。つまり、上側の支持部材を下方に、下側の支持部材を上方に回動させ、前記出入口を前記壁面に設けられた前記カートリッジの中空スタッドと同じ寸法の接続要素に接続させる。前記接続要素の間には短絡回路が配設されており、一方の支持部材から他方の支持部材へカートリッジを介することなく前記短絡回路にて液体を流通させることができる。この短絡回路は、２つの透析治療の間で１回の透析処理が終了し他の透析処理を行う際に、透析機械を通して消毒液を流通、循環させて洗浄、消毒を行うときに用いられる。
【０００５】
透析処理の後に、カートリッジ内に液体がいくらか残留する。透析処理が終了した後にカートリッジを従来技術の透析機械から取り外すとき、液体により下側の支持部材はもちろん、透析機械においてこの支持部材の下側に配設された部品および透析機械が設置されている床面が濡れ、それがそこに固化することを防止することができない。
【特許文献１】独国特許出願公開第ＤＥ−Ａ−４  ２１７  ３５２号
【非特許文献１】欧州特許第Ｂ１−０２７８１００号明細書
【発明の開示】
【発明が解決しようとする課題】
【０００６】
本発明の目的は、こうした透析機械の取扱者を困らせる欠点を除去することである。そのために、カートリッジが透析機械から取り外されたときにカートリッジ内に残留する液体をカートリッジ内に保持し、これを流し等に排出させることを可能としたパウダカートリッジが提供される。
【０００７】
本発明の更なる目的はカートリッジにパウダが充填された後にパウダカートリッジの出口に螺着されるネジキャップであって、カートリッジを空にした後に、間違った量のパウダが充填されたり、間違った成分のパウダが充填されたり、カートリッジ内が汚染されたりする危険を伴って、使用現場でカートリッジを再び閉止するために使用できなくしたネジキャップを構成することである。
【課題を解決するための手段】
【０００８】
上述した本発明の目的は、請求項１の特徴部分に記載された本発明によるカートリッジにより達成される。
【０００９】
より特定すれば、本発明は以下の項目に関し得る。
【００１０】
（１）透析機械（１０）用のネジキャップ（２６）により閉じることのできる外ネジの形成された頸部（２１）を有するパウダカートリッジの装置において、前記パウダカートリッジを前記透析機械に取り付けることにより開放位置に調節することができる通常は閉止された弁（３６）を前記キャップ（２６）に配設し、前記ネジキャップの端壁（２８）と前記頸部（２１）に、前記キャップに螺着したときに相互作用する手段（２５、３３）を設けて、該手段が相互に係合することにより前記キャップが緩むことを防止し、前記ネジキャップの端壁（２８）に、ネジキャップの一部分に前記破断式の連結部を設け、前記端壁と前記キャップにおけるその一部分との間の前記連結部（２９）を破断し、前記端壁を前記キャップから分離することによってのみ前記キャップを緩めることができるようにしたことを特徴とする装置。
【００１１】
（２）前記キャップを通して通路を形成したときに、前記端壁（２８）を前記キャップ（２６）におけるその一部分から分離することができる項目（１）に記載の装置。
【００１２】
（３）前記弁（３６）と前記端壁（２８）が単位体として構成されている項目（２）に記載の装置。
【００１３】
（４）前記弁（３６）が前記端壁（２８）の膨出部（３４）に取り付けられている項目（３）に記載の装置。
【００１４】
（５）前記弁（３６）が、前記端壁（２８）に形成される弁座に対して弾性的に係合するように保持される弁部材（４０）を具備する項目（４）に記載の装置。
【００１５】
（６）前記端壁（２８）が中空スタッド（３１）を有して成り、前記弁座に係合する前記弁部材（４０）が前記スタッド内に突き出しており、かつ、前記中空スタッド内に要素（５６、５６’）を導入することにより、前記弁座から上動可能となっている項目（５）に記載の装置。
【００１６】
（７）前記弁が、前記頸部（２１）と前記膨出部（３４）の間に取り付けられたリング（３７）を具備し、前記弁部材（４０）が、弾性腕（４５）により前記リングに連結されている項目（５）または（６）に記載の装置。
【発明の効果】
【００１７】
透析機械用のパウダカートリッジは、外ネジの形成された頸部、該頸部に適合され、かつ端壁を備えるネジキャップ、該ネジキャップ中の通常は閉止された弁であって、該パウダカートリッジを該透析機械に取り付けることによって開放位置に調節され得る弁、該端壁および該頸部上の手段であって、該頸部に該ネジキャップを螺着させるとき、該手段が相互に係合し、該頸部からの該ネジキャップの緩みを防ぐ手段、および該端壁と該ネジキャップの一部分との間の破断式の連結部であって、該破断式の連結部を破断して該端壁を該ネジキャップから分離した状況でのみ該ネジキャップを緩ませ得る連結部を備えるので、カートリッジが透析機械から取り外されたときにカートリッジ内に残留する液体をカートリッジ内に保持し、これを流しなどに排出させることを可能にし、透析機械周辺が汚れることはない。
【発明を実施するための最良の形態】
【００１８】
本発明をより詳細に説明するために、添付図面を参照して実施形態を説明する。
【００１９】
図１を参照すると、本実施形態ではパウダ濃厚物（重炭酸ナトリウム）からの透析液と共に作動するように設定された透析機械１０が図示されている。透析機械は、ドゥレークシステム１０００（商標）タイプの機械とすることができる。
【００２０】
パウダ濃厚物は、１または複数回の処方のための所定量を以て使い捨て可能なカートリッジ１１に充填されている。このカートリッジは、固定された下支持部材１２と、中空ガイド１３において下支持部材１２に接近、離反可能に設けられた上支持部材１４の間において前記機械に取り付けられている。前記ガイドは、前記機械の外側に設けられた鉛直取付レール１６に取り付けられたホルダ１５により支持されている。図１には詳細に図示されていないが、それ自体透析機械に関連して周知のように、前記カートリッジに水を通して前記パウダを水に溶かし込むための手段が設けられている。
【００２１】
カートリッジ１１（図２、３）は、半球形のドーム形端部を有した円筒形状を呈しており、射出成形されたプラスチック製、好ましくは、ポリプロピレン製の２つの部分１１Ａ、１１Ｂから成り、この２つの部分は、外方に突き出した周フランジ１７Ａ、１７Ｂにおいて溶接（ｍｉｒｒｏｒｗｅｌｄｉｎｇ）により相互連結されている。一方の部分１１Ａ、つまり上部は、他の部分１１Ｂ、つまり下部よりも大きな軸方向寸法を有しており、フランジ１７Ａ、１７Ｂにおける２つの部分の接合はカートリッジの中心とはなっていない。上部のドーム形の端部には中空スタッドが形成されている。該中空スタッドは、上部１１Ａに連結された部分１８と、部分１８から突き出した部分１９を有しており、部分１８は部分１９よりも大きな直径を有している。前記中空スタッドは、カートリッジ内部に連通し、かつ、外側の端部が該スタッドの端壁として形成された薄膜２０により閉じられている。
【００２２】
カートリッジの他方の部分１１Ｂのドーム形の端部には、外ネジ２２を有する頸部２１が形成されている。前記頸部は、軸方向に延びる円形カラー２３を有している。該カラーは、平滑な内周面２４と、周方向に配列された鋸歯状の外周面２５とを有している。キャップ２６が、前記頸部に螺着される寸法にて形成され、溝が形成された或いはローレット処理された外周面と、内ネジ２７と、端壁２８とを有する。キャップの周部に複数のシヤーウェブ２９が配設され、かつ、端壁とキャップにおけるその一部分の間にスリットまたは切欠３０が配設されており、該シヤーウェブとスリットにより、前記端壁が前記キャップにおけるその一部分に連結される。前記スリットまたは切欠は前記シヤーウェブ２９により架橋される。端壁２８とシヤーウェブ２９を有する前記キャップはプラスチック、好ましくは、カートリッジを形成するプラスチック、つまり、ポリプロピレンから射出成形により一体成形される。端壁２８は中空スタッド３１を有している。該中空スタッドは、前記端壁から突き出しており、かつ、該スタッドの端壁を形成する薄膜３２により外側の端部が閉じられている。
【００２３】
端壁２８は、周方向に配列された鋸歯状の内周面３３を有している。この鋸歯状の内周面は、前記頸部の鋸歯状の外周面２５に対して反対方向に向けられている。更に、端壁２８には、外周面３５を有する環状膨出部３４が形成されている。膨出部３４には弁要素３６が取り付けられている。弁要素は、軸方向に延びるカラー３８を有する円形リング３７を具備している。このカラーは、その内周面で外周面３５に嵌合する寸法を有しており、かつ、内周面に環状ビード３９が形成されている。該弁要素を、正しく膨出部３４に取り付けると、前記ビードが外周面３５に形成された環状溝にスナップ式に嵌まり込む。前記弁要素は、また、弁部材４０を具備している。弁部材４０は、概ね円筒状の形状をしており、かつ、円錐部４１により連結された大径部４２、小径部４３、および、弁部材の下端部に設けられた端壁４４とを有して成り、小径部４３の外径は、前記中空スタッド３１内に突出できるように、該中空スタッドの内径よりも小さくなっている。弁部材は上端部において、４つの細い弾性腕４５により、リング３７に対して軸方向に移動可能にリング３７に連結されている。弁要素を膨出部３４に取り付けると、弁部材４０の小径部４３がスタッド３１内に突き出し、腕４５のバネ作用により所定の圧力を以て円錐部４１が、端壁２８においてスタッド３１が接合されている部分の内面に当接し、前記弁部材が端壁２８に対して密封、係合状態で保持される。また、弁要素３６は、好ましくは、ポリプロピレンから射出成形される。
【００２４】
織物から成る、または、射出成形された、好ましくはポリプロピレン製のフィルタネット４６が、リング３７の上面に形成された凹所に配設され、かつ、超音波溶接により前記リングに連結されている。
【００２５】
このように形成されたカートリッジは、フランジ１７Ａ、１７Ｂにおける溶接の気密性を管理するために圧力試験を行った後に、１回の透析処理または複数回の透析処理のための量のパウダ（重炭酸ナトリウム）が前記頸部２１から充填され、次いで、端壁２８が前記頸部の端面に係合するまで、前記頸部にキャップ２６が螺着される。カラー２３の平滑な内周面２４がカラー３８の外周面に嵌合する。カラー３８の外周面には前記頸部のカラー２３と前記弁要素のカラー３８の間をシールするための環状ビード４７が形成されている。カラー３８は、カラー２３の内周面２４と膨出部３４の外周面３５の間にクランプされ、弁要素３６と頸部２１の間および弁要素３６と膨出部３４の間に必要なシールを維持する。頸部２１は半径方向のフランジ４８を有している。該フランジは、前記キャップを螺着したときに、その内縁部４９においてフィルタネット４６の周縁部の上面に対して密封、係合し、弁要素３６を前記キャップに対して位置決めする作用をなす。キャップが完全に螺着される直前に、歯２５および歯３３は、相互に係合するが、これらの歯は、このキャップの歯３３が、前記頸部上の歯２５と係合することなくこの歯と摺動してこのキャップが螺動されるのを可能にするように方向付けられているべきである。次いで、カートリッジは、透析機械に連結されるまで、貯蔵および輸送のために完全に閉じられる。前記ネット、弁要素、および、キャップを含むカートリッジの全ての部品は、一種類の同じプラスチックにより形成されるべきであり、その好ましい材料の１つは既述したようにポリプロピレンである。
【００２６】
次に、図１に示す支持部材１２、１４を含み既述したカートリッジが取り付けられるホルダを、図５から図１１および図１３から図１８を参照して説明する。
【００２７】
固定式の下支持部材１２に形成された孔５１にブッシュ５０が挿入される。該ブッシュの外周フランジ５２により形成される肩部が前記支持部材の上面に当接する。大径部５３にＯリング５４から成るガスケットが配設され、フランジにはＯリング５５から成る他のガスケットが配設される。ブッシュ５０内には管５６が配設されている。該管は、前記ブッシュに取付可能に形成され、或いは、前記ブッシュと一体成形することができる。前記管の上端は、套管に類似させて斜めに切り欠くことによりテーパ状に形成されており、かつ、下端は、他の管に連結するように形成されている。中心開口部５８を有する蓋５７がブッシュ５０の上方に設けられ、下支持部材１２に形成されたスロット５９Ａに係合する差込みカップリング手段５９により支持部材１２に取り付けられる。蓋５７は腕５７Ａを有している。該腕の下面には突起５７Ｂが形成されている。蓋を配置して回転させることにより差込みカップリングが係合し、蓋が正しい位置にくると、突起５７Ｂが下支持部材の窪み６０にスナップ式に受承される。蓋５７は、Ｏリング５４、５５を下支持部材に対して正しい位置に保持する。
【００２８】
上支持部材も同様の構成を有しており、既述した構成要素と同様の構成要素はダッシュを付して同じ参照番号にて指示されている。然しながら上支持部材の場合、リング６１と、Ｏリング６２から成るシールとが配設されている。蓋５７’は、下支持部材の蓋５７よりも大きな直径を有し、かつ、リング６１を上支持部材に対して押圧、保持する。リング６１が、次いで、開口部５１’内にブッシュ５０’を保持すると共に、Ｏリング５４’、５５’を正しい位置に保持する。リング６１と蓋５７’の間に配設されるＯリング６２は、リング６１に受承され、かつ、このリングと前記蓋により正しい位置に保持される。
【００２９】
上支持部材１４に設けられた作動部材６３は、水平軸６４を中心として、図５から図８に示す位置から上方へ図１０に示す位置に回動可能に設けられている。
前記作動部材には、上支持部材１４の内側において、レバー６５が連結されている作動部材６３が図５から図８に示す位置にあるとき、レバー６５の先端は、ガイド１３に設けられた切欠６６に係合する（図１１参照）。こうして、上支持部材１４は図１１に示す位置に保持される。上支持部材に設けられ、かつ、腕６５の凹所６５Ｂに係合する突起６５Ａにより、作動部材はこの位置に保持される。
【００３０】
作動部材６３が、上方に回動すると、上支持部材１４は、切欠６６に係合するレバー６５によりガイド１３に沿って上方に２ｃｍ程移動する。ガイド１３の切欠６６は、持ち上げられる上支持部材のための当接部を構成する。作動部材６３が更に上方へ図１０に示す位置に回動すると、レバー６５が切欠６６から解除され、上支持部材１４はガイド１３に沿って自由に下方へ移動可能となる。図１０に示す位置において、作動部材は凹所６５Ｂに係合する上支持部材１４の他の突起６５Ｃにより保持される。上支持部材１４が下方へ下支持部材１２の方へ移動し（図１５）、レバー６５がガイド１３の切欠６７と係合するとき下位置（図１６）となる。
【００３１】
らせん状の管６８（図１３、１４）が中空のガイド１３内に配設されている。前記らせん状の管は、端部において下支持部材１２と上支持部材１４に取り付けられており、透析機械１０内に設けられた水管路（図示せず）に連通し、上端において上支持部材１４内の管５６’に水を供給するために管５６’に接続されている。他の管（図示せず）が下支持部材１２内の管５６に接続されており、これにより透析機械は、透析機械で使用するために濃厚な重炭酸ナトリウム溶液が供給される。
【００３２】
パウダが充填されキャップ２６により閉じられた既述のカートリッジ１１が、図１３において一点鎖線で示すように、下支持部材１２と上支持部材１４の間に後述するように取り付けられる。
【００３３】
作動部材６３を上方へ回動させて（図１０）上支持部材１４が上方へ２ｃｍ程度持ち上げられる。上支持部材１４がこの位置において、カートリッジ１１のキャップ２６のスタッド３１を下支持部材１２の蓋５７の中心開口部からブッシュ５０へ挿通させる。スタッド３１の周囲をＯリング５４がシールする。管５６の先端が端壁３２に対して移動し、カートリッジに十分な圧力が付与され、端壁が貫通される。図４において一点鎖線で示すように管５６が端壁に対して押圧されたときに、回動式の蓋として上方に折れ曲がるように、端壁には円形の剪断線（ｓｈｅａｒｌｉｎｅ）が形成されている。管５６は、ネジキャップ２６が下支持部材１２の蓋５７に係合したときに、前記管が弁部材４０に係合して腕４５のバネ付勢力に対抗して端壁２８の弁座から弁部材を持ち上げる長さを有している。カートリッジの下端をこのように下支持部材１２に適用した後、作動部材６３は、図１１に示す位置へ下方に移動させられ、上支持部材１４は、カートリッジ１１の上端の中空スタッドの内径よりも小さな直径を有する部分１９を上支持部材１４のブッシュ５０’内に受承し、Ｏリング５４’が該スタッドの周囲をシールする。挿入に際して套管状の管５６’の先端が中空スタッドの端壁２０を貫通する。カートリッジの上端の中空スタッドの大きいほうの直径を有する部分１８が、上支持部材１４の蓋５７’の中心開口部よりも非常に小さな直径を有しているので、この位置でリング６２によるシールは機能しない。この時点で、透析処理用にカートリッジに水を供給してカートリッジ内に充填されたパウダを水に溶かすために、カートリッジは上支持部材１４の管５６’と下支持部材１２の管５６の間に取り付けられる。カートリッジからの溶液は濃厚されており、透析機械内で透析処理のために要求される濃度まで希釈される。図１３に液体の流れを図示する。図１３において、カートリッジ１１は一点鎖線でのみ図示されている。然しながら図１２の矢印は、カートリッジから頸部２１、フィルタネット４６、カラー２３、３８により形成される通路を通過し、腕４５を通過し、上動した弁部材４０と端壁２８により形成される弁座の間を中空スタッド３１へ流通し、そしてそこから管５６へ流出する液体を示している。液体通路の外側にスリットまたは切欠３０が配設されている。
【００３４】
１回または複数回の処理が完了すると、作動部材５３を上方に回動させることにより（図１０）、上支持部材１４が２ｃｍ程度持ち上げられ、使用済みカートリッジが取り外される。上支持部材の管５６’がカートリッジの上端の中空スタッド１９から引き抜かれ、カートリッジが下支持部材から持ち上げられ、ネジキャップ２６が管５６から引き抜かれ、腕４５により弁部材４０が再び端壁２８の弁座に押圧される。これは、既述のカートリッジの重要な作用である。と言うのは、カートリッジを透析機械から取り外すときに、従来のカートリッジのように、カートリッジ内に残留する液体がカートリッジの下端から流出することがないからである。流出する液体が下支持部材および下支持部材の下側にある透析機械の部品を汚し、そしてこのことが透析機械を取り扱う者にとって非常に好ましくないことであることは言うまでもない。この時点で、カートリッジは流し等に運ぶことが可能となり、そこで、カートリッジの下端のネジキャップを取り外してカートリッジを空にすることができる。頸部２１の歯の付いた外周面２５と、ネジキャップ２６の端壁２８の歯の付いた内周面３３の間の係合により、ネジキャップを緩めることはそれ自体防止されており、端壁２８とネジキャップにおけるその一部分との間のシヤーウェブ２９を切断して、弁要素３６と共に端壁２８をネジキャップにおけるその一部分から取り外さなければ、ネジキャップを緩めることができない。端壁を緩めてカートリッジ内部からキャップを通して液体を排出するための通路を開くために、キャップを少し回転させればよい。従って、キャップを完全に緩めて取り外す必要はない。端壁２８は、端壁の膨出部３４と弁のカラー３８の間を十分にシールするために、両者間のとまりばめが必要であるとの事実のために、端壁２８が緊密に前記頸部に張り付いている限り、キャップを緩めた後に、指により頸部から端壁を引き離す必要があるかもしれない。端壁が緩み落下すると、或いは、指で引き離すと、キャップは直ちにカートリッジを閉じるために使用することができなくなり、従って、間違った量、パウダを充填したり、カートリッジ内部が汚染される危険を伴って、使用現場でカートリッジにパウダを再充填することができなくなる。
【００３５】
カートリッジは使用後廃棄されなければならないが、好ましい実施形態で説明したようにネジキャップと弁要素が１つの材料、例えばポリプロピレンで形成されている場合には、端壁を含むネジキャップと弁要素が同じであるので、その材料は再生可能であり、特定の都合の良い方法にて再生のために集めることができる。
【００３６】
透析処理の後に、透析機械の洗浄、消毒サイクルが実施され、消毒液を一方の支持部材から他方の支持部材へ、両者間に取り付けたカートリッジを通して流通させる。洗浄、消毒サイクルを実施するために、既述したように、上支持部材１４を下位置に移動させて下支持部材１２に係合させる。作動部材６３を上方へ回動させ（図１０）、腕６５をガイド１３の上切欠６６から解除し、管６８を圧縮しながら上支持部材をガイドに沿って下方に図１５の位置へ押し下げ、かつ、作動部材６３を下方へ回動させ下切欠６７に係合させ、上支持部材１４を下支持部材１２に係合させる（図１６、１８）。下支持部材１２の蓋５７が、上支持部材１４の蓋５７’を受承する（図１７）。下支持部材１２の蓋５７は、図１７に示すように、上支持部材１４のＯリング６２が蓋５７の外面に対してシールできる寸法にて形成されている。然しながら、支持部材の該位置においてＯリング５４、５４’は、シール作用を果たさない。このとき、洗浄、消毒液を管６８を通して上支持部材１４に供給可能となる。流れの回路は、図１８に示すように下支持部材１２への短絡回路となる。図１７から理解されるように、Ｏリング５４、５４’は、洗浄、消毒サイクルにおいて流通する液体に曝されている。このことは重要である。と言うのは、これらのＯリングは、カートリッジの２つの端部における連結部をシールしなければならないが、Ｏリングに重炭酸塩の堆積やコーティングがあると、このシールが害されるからである。然しながら、Ｏリング６２は洗浄する必要はない。と言うのは、このＯリングは透析に際してシール作用を果たさないからである。
【００３７】
必要に応じて差込みカップリングにより蓋５７、５７’を関連する支持部材から容易に取り外して、Ｏリングに接近、交換することができるので、前記Ｏリングは容易に交換可能である。また、管５６、５６’を有するブッシュ５０、５０’は、何回か使用した後に前記管の先端が鈍くなったときに、必要に応じて同じ理由から容易に交換することができる。このカートリッジのホルダは、メンテナンスおよび修理に適している。
【００３８】
既述した実施形態は本発明の請求の範囲内で修正することができ、前記ネジキャップは他の形態にて構成することができる。
【００３９】
例えば、弁は、実施形態において端壁２８にて形成されていた弁部材の為の弁座を含むことができる。弁は、管５６、５６’の先端により貫通され、管が引き抜かれたときに再び自動的に閉じるスロットを有する薄膜または多孔性のエラストマ材料にて置換可能である。キャップの弁は、また、バネにより付勢されるボール弁にて構成することができる。要は、通常は閉止位置に保持され、かつ、カートリッジが透析装置に取り付けられたときに開放位置に調節されるように構成された弁であればよい。
【産業上の利用可能性】
【００４０】
透析に用いられる透析機械用パウダカートリッジが提供される。
【００４１】
（要約）
透析機械（１０）用のネジキャップ（２６）により閉じることのできる外ネジの形成された頸部（２１）を有するパウダカートリッジ（１１）の装置。前記ネジキャップに、前記パウダカートリッジを前記透析機械に取り付けることにより開放位置に調節することができる通常は閉止された弁（３６）が設けられている。前記ネジキャップの端壁（２８）と前記頸部（２１）に、前記キャップに螺着したときに相互作用する手段（２５、３３）を設け、該手段が相互に係合して前記キャップが緩むことを防止する。前記ネジキャップの端壁（２８）に、ネジキャップの一部分に前記破断式の連結部を設け、前記端壁と前記キャップにおけるその一部分との間の前記連結部（２９）を破断して、前記端壁を前記キャップから分離することによってのみ前記キャップを緩めることができるようにした。
【図面の簡単な説明】
【００４２】
【図１】図１は、本発明による装置を備えた透析機械の斜視図である。
【図２】図２は、透析機械に取り付けられたパウダカートリッジの斜視図である。
【図３】図３は、パウダカートリッジの分解斜視図である。
【図４】図４は、頸部とネジキャップとを有するパウダカートリッジの下方部分およびネジキャップに設けられた閉止位置にある弁の断面図である。
【図５】図５は、パウダカートリッジのためのホルダの斜視図である。
【図６】図６は、ホルダの下支持部材の分解斜視図である。
【図７】図７は、ホルダの下支持部材の断面図である。
【図８】図８は、ホルダの上支持部材の分解斜視図である。
【図９】図９は、ホルダの上支持部材の断面図である。
【図１０】図１０は、パウダカートリッジを取り付けていないホルダの側面図である。
【図１１】図１１は、パウダカートリッジを取り付けたホルダの側面図である。
【図１２】図１２は、開放位置にある弁と共に示すパウダカートリッジの下方部分の図４と同様の断面図である。
【図１３】図１３は、液体の流と共に示す図１１と同様の側面図である。
【図１４】図１４は、水の流れと共に示すホルダおよび上支持部材の平面図である。
【図１５】図１５は、上支持部材が下位置にある状態のホルダの側面図である。
【図１６】図１６は、洗浄、消毒サイクルを実施するために支持部材を連結した状態で示すホルダの側面図である。
【図１７】図１７は、図１６に示す位置にある支持部材の断面図である。
【図１８】図１８は、洗浄サイクルの間の水の流を示す図１６と同様の図である。
【図１】
2006181377.tif 000003
【図２】
2006181377.tif 000004
【図３】
2006181377.tif 000005
【図４】
2006181377.tif 000006
【図５】
2006181377.tif 000007
【図６】
2006181377.tif 000008
【図７】
2006181377.tif 000009
【図８】
2006181377.tif 000010
【図９】
2006181377.tif 000011
【図１０】
2006181377.tif 000012
【図１１】
2006181377.tif 000013
【図１２】
2006181377.tif 000014
【図１３】
2006181377.tif 000015
【図１４】
2006181377.tif 000016
【図１５】
2006181377.tif 000017
【図１６】
2006181377.tif 000018
【図１７】
2006181377.tif 000019
【図１８】
2006181377.tif 000020